(57)【要約】【課題】多量の尿及び軟便が排泄された場合においても、適切に尿及び軟便の漏れを防止することができる吸収性物品を提供する。【解決手段】トップシート２０と吸収体３０の間において、左右方向両端部に、前後方向に延びる左右一対の第１の補助吸収体５０を備えており、さらに、第１の補助吸収体５０の前側及び後側に、左右方向に延びる前後一対の第２の補助吸収体６０を有しており、第１の補助吸収体５０及び第２の補助吸収体６０は、それぞれ一枚の基体不織布と高吸収性ポリマーを有し、基体不織布は片側表面が起毛し、所定の折り返し構造を有しており、高吸収性ポリマーが基体不織布の起毛した繊維間に固着担持されている、吸収性物品１を提供する。【選択図】図１
2020000273.tif 000002
【特許請求の範囲】
【請求項１】
液透過性のトップシートと、液不透過性のバックシートと、前記トップシート及び前記バックシートの間に配置された吸収体と、を有する吸収性物品であって、
前記吸収性物品は、前記トップシートと前記吸収体の間において、左右方向両端部に、前後方向に延びる左右一対の第１の補助吸収体を備えており、さらに、前記第１の補助吸収体の前側及び後側に、左右方向に延びる前後一対の第２の補助吸収体を有しており、
前記第１の補助吸収体は、一枚の第１の基体不織布と第１の高吸収性ポリマーを有し、
前記第１の基体不織布は、片側表面が起毛しており、起毛した面が内面となるように、左右方向外側が折り返されることで左右方向内側が開口した折り返し構造を有し、
前記第１の高吸収性ポリマーが、前記第１の基体不織布の起毛した繊維間に固着担持されており、
前記第２の補助吸収体は、一枚の第２の基体不織布と第２の高吸収性ポリマーを有し、
前記第２の基体不織布は、片側表面が起毛しており、起毛した面が内面となるように、前後方向外側が折り返されることで前後方向内側が開口した折り返し構造を有し、
前記第２の高吸収性ポリマーが、前記第２の基体不織布の起毛した繊維間に固着担持されており、
前記第１の基体不織布及び前記第２の基体不織布の坪量は２０ｇ／ｍ２以上２００ｇ／ｍ２以下であり、
前記第１の補助吸収体及び前記第２の補助吸収体の厚さは２ｍｍ以上５０ｍｍ以下である、吸収性物品。
【請求項２】
前記第１の補助吸収体において、前記第１の高吸収性ポリマーがホットメルト接着剤により、前記第１の基体不織布の起毛した繊維間に固着担持されており、
前記第２の補助吸収体において、前記第２の高吸収性ポリマーがホットメルト接着剤により、前記第２の基体不織布の起毛した繊維間に固着担持されており、
前記第１の補助吸収体及び前記第２の補助吸収体に含まれる前記ホットメルト接着剤の含有量が１０ｇ／ｍ２以下である、請求項１に記載の吸収性物品。
【請求項３】
前記第１の補助吸収体の左右方向の寸法及び前記第２の補助吸収体の前後方向の寸法は、１０ｍｍ以上５０ｍｍ以下である、請求項１又は２に記載の吸収性物品。
【請求項４】
前記第１の補助吸収体の前後方向の寸法が、前記吸収体の前後方向の寸法に対して、３０％以上９０％以下である、請求項１から３のいずれかに記載の吸収性物品。
【請求項５】
前記第２の補助吸収体の左右方向の寸法が、前記吸収体の左右方向の寸法に対して、３０％以上９０％以下である、請求項１から４のいずれかに記載の吸収性物品。
【発明の詳細な説明】
【技術分野】
【０００１】
本発明は、適切に尿及び軟便の漏れを防止することができる吸収性物品に関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。これら吸収性物品において、排泄された尿や軟便を外部に漏らさない性質が求められる。
【０００３】
排泄された尿や軟便の漏れを防止することを検討した吸収性物品として、例えば特許文献１には、左右両側に複数の立体ギャザーを形成して、漏れ防止性、吸収体への捕集性を向上した吸収性物品が開示されている。また、特許文献２には、使用状態において、自由隆起するウエスト用バリヤーカフスを有する、使い捨ての吸収性物品が開示されている。さらに、特許文献３には、トップシート、バックシート及び該トップシートと該バックシートとの間に配置された吸収体を備えた吸収性物品であって、吸収性物品には、トップシートから吸収体までを厚み方向に貫通する貫通孔が形成されており、吸収体とバックシートとの間に、不織布又は発泡体からなり、かつ、肌当接面に凹凸構造が形成されている拡散層を有し、該拡散層が該貫通孔の底部をなし、該底部が肌当接面側において露出していることにより、トップシート上を伝って排泄物が流出して漏れが発生することを防止し得る吸収性物品が開示されている。
【先行技術文献】
【特許文献】
【０００４】
【特許文献１】特開２０１１−２０６１０８号公報
【特許文献２】特開２００１−２９３０３２号公報
【特許文献３】特開２０１６−１１２２３２号公報
【発明の概要】
【発明が解決しようとする課題】
【０００５】
しかしながら、特許文献１から特許文献３に記載の吸収性物品においても、多量の尿及び軟便が排泄された場合には、尿及び軟便の漏れを確実に防止することが困難であった。したがって、本発明は以上の課題に鑑みてなされたものであり、多量の尿及び軟便が排泄された場合においても、適切に尿及び軟便の漏れを防止することができる吸収性物品を提供することを目的とする。
【課題を解決するための手段】
【０００６】
本発明の発明者は、上記課題に鑑み、鋭意研究を行った。その結果、トップシートと吸収体の間に、左右一対及び前後一対の所定の補助吸収体を設けることにより、上記の課題を解決できることを見出し、本発明を完成するに至った。具体的には、本発明は以下のものを提供する。
【０００７】
（１）本発明の第１の態様は、液透過性のトップシートと、液不透過性のバックシートと、前記トップシート及び前記バックシートの間に配置された吸収体と、を有する吸収性物品であって、前記吸収性物品は、前記トップシートと前記吸収体の間において、左右方向両端部に、前後方向に延びる左右一対の第１の補助吸収体を備えており、さらに、前記第１の補助吸収体の前側及び後側に、左右方向に延びる前後一対の第２の補助吸収体を有しており、前記第１の補助吸収体は、一枚の第１の基体不織布と第１の高吸収性ポリマーを有し、前記第１の基体不織布は、片側表面が起毛しており、起毛した面が内面となるように、左右方向外側が折り返されることで左右方向内側が開口した折り返し構造を有し、前記第１の高吸収性ポリマーが、前記第１の基体不織布の起毛した繊維間に固着担持されており、前記第２の補助吸収体は、一枚の第２の基体不織布と第２の高吸収性ポリマーを有し、前記第２の基体不織布は、片側表面が起毛しており、起毛した面が内面となるように、前後方向外側が折り返されることで前後方向内側が開口した折り返し構造を有し、前記第２の高吸収性ポリマーが、前記第２の基体不織布の起毛した繊維間に固着担持されており、前記第１の基体不織布及び前記第２の基体不織布の坪量は２０ｇ／ｍ２以上２００ｇ／ｍ２以下であり、前記第１の補助吸収体及び前記第２の補助吸収体の厚さは２ｍｍ以上５０ｍｍ以下である、吸収性物品である。
【０００８】
（２）本発明の第２の態様は、（１）に記載の吸収性物品であって、前記第１の補助吸収体において、前記第１の高吸収性ポリマーがホットメルト接着剤により、前記第１の基体不織布の起毛した繊維間に固着担持されており、前記第２の補助吸収体において、前記第２の高吸収性ポリマーがホットメルト接着剤により、前記第２の基体不織布の起毛した繊維間に固着担持されており、前記第１の補助吸収体及び前記第２の補助吸収体に用いる前記ホットメルト接着剤の坪量が１０ｇ／ｍ２以下であることを特徴とするものである。
【０００９】
（３）本発明の第３の態様は、（１）又は（２）に記載の吸収性物品であって、前記第１の補助吸収体の左右方向の寸法及び前記第２の補助吸収体の前後方向の寸法は、１０ｍｍ以上５０ｍｍ以下であることを特徴とするものである。
【００１０】
（４）本発明の第４の態様は、（１）から（３）のいずれかに記載の吸収性物品であって、前記第１の補助吸収体の前後方向の寸法が、前記吸収体の前後方向の寸法に対して、３０％以上９０％以下であることを特徴とするものである。
【００１１】
（５）本発明の第５の態様は、（１）から（４）のいずれかに記載の吸収性物品であって、前記第２の補助吸収体の左右方向の寸法が、前記吸収体の左右方向の寸法に対して、３０％以上９０％以下であることを特徴とするものである。
【発明の効果】
【００１２】
本発明の吸収性物品によれば、多量の尿又は軟便が排泄された場合においても、適切に尿及び軟便の漏れを防止することができる。
【図面の簡単な説明】
【００１３】
【図１】本発明の吸収性物品の平面図である。
【図２】図１のＸ1−Ｘ１断面図である。
【図３】図１のＹ1−Ｙ１断面図である。
【図４】第２の補助吸収体の態様が異なる図１のＸ1−Ｘ１断面図である。
【図５】第２の補助吸収体の態様が異なる図１のＹ1−Ｙ１断面図である。
【発明を実施するための形態】
【００１４】
以下、添付図面を参照して、本発明を実施するための形態について、詳細に説明する。なお、本発明の実施形態の説明の全体を通して、同じ要素には同じ符号を付している。
【００１５】
本明細書の説明において、吸収性物品１の着用時とは、吸収性物品１の装着時及び装着後の少なくとも一方をいう。吸収性物品１の前後方向とは、着用されたときに着用者の前後に亘る方向であり、図中Ｙで表す方向である。一方、吸収性物品１の左右方向とは、前後方向に対して横又は直交する方向であり、図中Ｘで表す方向である。また、前側とは、吸収性物品１の前後方向において、着用時に着用者の腹側に配される方向を指し、図中Ｆで表す方向であり、後側とは、前側と逆の方向であり、図中Ｂで表す方向である。さらに、身体側表面とは、吸収体３０等の各部材の表裏両面のうち、着用時に着用者の肌側に配される面であり、衣類側表面とは、吸収体３０等の各部材の表裏両面のうち、着用時に着用者の肌側とは反対側に向けられる面である。
【００１６】
＜吸収性物品＞
図１は、本発明の吸収性物品１の平面図であり、図２は、図１のＸ１−Ｘ１断面図であり、図３は、図１の図１のＹ1−Ｙ１断面図であり、本発明の吸収性物品１は、図１から図３に示すように、液透過性のトップシート２０と、液不透過性のバックシート４０と、トップシート２０及びバックシート４０の間に配置された吸収体３０と、を有する。さらに、吸収性物品１は、トップシート２０と吸収体３０の間において、左右方向両端部に、前後方向に延びる左右一対の第１の補助吸収体５０を備えており、さらに、第１の補助吸収体５０の前側及び後側に、左右方向に延びる前後一対の第２の補助吸収体６０を有している。
【００１７】
本発明の吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、軽失禁ライナー、生理用ナプキン等であってもよい。
なお、図１に示す吸収性物品１は、尿取りパッド、軽失禁パッド等の形態であるが、本発明の吸収性物品１は、この形態に限定されるものではない。
吸収性物品１の前後方向の寸法は、２００ｍｍ以上１０００ｍｍ以下であり、左右方向の寸法は、５０ｍｍ以上５００ｍｍ以下であることが好ましい。
【００１８】
［第１の補助吸収体及び第２の補助吸収体］
本発明の吸収性物品１は、トップシート２０と吸収体３０の間において、左右方向両端部に、前後方向に延びる左右一対の第１の補助吸収体５０を備えており、さらに、第１の補助吸収体５０の前側及び後側に、左右方向に延びる前後一対の第２の補助吸収体６０を有している。さらに、第１の補助吸収体５０は、一枚の第１の基体不織布５１と第１の高吸収性ポリマー５２を有し、第１の基体不織布５１は、片側表面が起毛しており、起毛した面が内面となるように、左右方向外側が折り返されることで左右方向内側が開口した折り返し構造を有し、第１の高吸収性ポリマー５２が、第１の基体不織布５１の起毛した繊維間に固着担持されている。また、第２の補助吸収体６０は、一枚の第２の基体不織布６１と第２の高吸収性ポリマー６２を有し、第２の基体不織布６１は、片側表面が起毛しており、起毛した面が内面となるように、前後方向外側が折り返されることで前後方向内側が開口した折り返し構造を有し、第２の高吸収性ポリマー６２が、第２の基体不織布６１の起毛した繊維間に固着担持されている。
なお、第１の補助吸収体５０及び第２の補助吸収体６０は、平面視において、例えば、直線型、円弧型、折れ線型であってもよいが、操業性の観点から直線上であることが好ましい。
【００１９】
まず、本発明の吸収性物品１には、上記の態様において、第１の補助吸収体５０及び第２の補助吸収体６０が設けられることにより、尿及び軟便（下痢便や水様便等を含む。以下同様）の排泄時には、第１の補助吸収体５０及び第２の補助吸収体６０が尿及び軟便を堰き止め、かつ、尿及び軟便に含まれる水分を吸収するため、左右方向及び前後方向からの尿及び軟便の漏れを効果的に防止することができる。なお、第１の高吸収性ポリマー５２及び第２の高吸収性ポリマー６２が水分の吸収により膨潤することで、第１の補助吸収体５０及び第２の補助吸収体６０の厚さが大きくなるため、水分の吸収後においては、より効果的に尿及び軟便を堰き止めることができる。
また、第１の基体不織布５１及び第２の基体不織布６１は、左右方向内側又は前後方向内側がそれぞれ開口しているため、尿及び軟便に含まれる水分をより速く吸収でき、尿及び軟便の漏れを効果的に防止することができる。
【００２０】
第１の補助吸収体５０及び第２の補助吸収体６０の断面（第１の補助吸収体５０については左右方向の断面、第２の補助吸収体６０については前後方向の断面）の形状は、図２及び図３に示すようにコの字状であってもよい。
また、図４に示すように、第１の基体不織布５１において、吸収体３０に接する面の左右方向の寸法が、トップシート２０に接する面の左右方向の寸法に対して長くてもよく、図５に示すように、第２の基体不織布６１において、吸収体３０に接する面の左右方向の寸法が、トップシート２０に接する面の左右方向の寸法に対して長くてもよい。このような態様にすることにより、第１の補助吸収体５０及び第２の補助吸収体６０が内側から段階的に厚くなり、吸収体３０と第１の補助吸収体５０、及び、吸収体３０と第２の補助吸収体６０、に生じる段差を起因とする違和感を軽減でき、さらに、違和感を軽減しつつ、第１の補助吸収体５０及び第２の補助吸収体６０の最大の厚さを大きくすることができる。
この場合において、第１の基体不織布５１において、吸収体３０に接する面の左右方向の寸法が、トップシート２０に接する面の左右方向の寸法に対して１．５倍以上３倍以下であることが好ましく、第２の基体不織布６１において、吸収体３０に接する面の前後方向の寸法が、トップシート２０に接する面の前後方向の寸法に対して１．５倍以上３倍以下であることが好ましい。
【００２１】
また、第１の基体不織布５１の起毛した部分の繊維間に第１の高吸収性ポリマー５２が、第２の基体不織布６１の起毛した部分の繊維間に第２の高吸収性ポリマー６２が、それぞれ分散して固着担持されることにより、第１の高吸収性ポリマー５２及び第２の高吸収性ポリマー６２が担持された部分の周辺の不織布の繊維に尿が適度に拡散又は保持されることにより吸収性能が向上する。
さらに、第１の基体不織布５１及び第２の基体不織布６１が起毛していることにより、第１の補助吸収体５０及び第２の補助吸収体６０に適度な厚みと柔らかさが付与され、適度なクッション性が発生することで、フィット性が向上するため、左右方向及び前後方向からの尿及び軟便の漏れを効果的に防止することができる。
【００２２】
また、第１の補助吸収体５０及び第２の補助吸収体６０の厚さは、２ｍｍ以上５０ｍｍ以下であり、４ｍｍ以上３０ｍｍ以下であることが好ましい。第１の補助吸収体５０及び第２の補助吸収体６０の厚さを上記の範囲に設定することにより、より効果的に軟便を堰き止めやすくすることができる。
【００２３】
第１の補助吸収体５０の前後方向の寸法は、尿及び軟便を堰き止め、尿及び軟便に含まれる水分を効率的に吸収するために、吸収体３０の前後方向の寸法に対して、３０％以上９０％以下であることが好ましく、５０％以上９０％以下であることがより好ましい。
また、同様の観点から、第２の補助吸収体６０の左右方向の寸法が、吸収体３０の左右方向の寸法に対して、３０％以上９０％以下であることが好ましく、５０％以上９０％以下であることがより好ましい。
さらに、第１の補助吸収体５０の左右方向の寸法及び第２の補助吸収体６０の前後方向の寸法は、１０ｍｍ以上５０ｍｍ以下であることが好ましく、１５ｍｍ以上４０ｍｍ以下であることが好ましい。
【００２４】
また、第２の補助吸収体６０が、当該第２の補助吸収体６０が配置される側の吸収体３０の前後端部から５０ｍｍ以内に位置することが好ましい。この場合において、第２の補助吸収体６０が配置される側の吸収体３０の前後方向端部よりも前後方向の中心側に第２の補助吸収体６０が配置される。平面視における、第２の補助吸収体６０と吸収体３０の位置関係を上記の範囲に調整することにより、吸収体３０が存在する領域で排尿領域及び排便領域を適切に囲うことができ、尿及び軟便の前後方向からの漏れを防止することができる。
【００２５】
第１の補助吸収体５０と第２の補助吸収体６０は、図１に示すように離間するように配置されていてもよいし、それぞれ接合して配置されていてもよい。第１の補助吸収体５０と第２の補助吸収体６０が離間するように配置される場合、離間部分からの軟便の漏れを防止するために、その離間距離が吸収体３０の前後方向の寸法に対して、１／１０以下であることが好ましく、１／２０以下であることがより好ましい。
【００２６】
（第１の基体不織布及び第２の基体不織布）
第１の基体不織布５１及び第２の基体不織布６１の片側表面を起毛させる方法としては、回転ノコ刃、ニードルパンチが挙げられ、インラインでの生産性やコストの観点から回転ノコ刃により毛羽立たせる方法を用いることが好ましい。
【００２７】
第１の基体不織布５１及び第２の基体不織布６１としては、例えば、エアスルー不織布、ポイントボンド不織布、スパンボンド不織布、メルトブロー不織布等の不織布や、スパンボンド不織布／メルトブロー不織布、スパンボンド不織布／メルトブロー不織布／スパンボンド不織布を積層した複合不織布を挙げることができる。これらの不織布のうち、嵩高さの得やすいエアスルー不織布を用いることが好ましい。また、第１の基体不織布５１及び第２の基体不織布６１の坪量は、２０ｇ／ｍ２以上２００ｇ／ｍ２以下であることが好ましく、３０ｇ／ｍ２以上１６０ｇ／ｍ２以下であることがより好ましい。
【００２８】
さらに、第１の基体不織布５１及び第２の基体不織布６１を構成する繊維の太さは、１．６ｄｔｅｘ以上１４ｄｔｅｘ以下であることが好ましく、１．８ｄｔｅｘ以上９．０ｄｔｅｘ以下であることがより好ましく、２．０ｄｔｅｘ以上６．０ｄｔｅｘ以下であることが更に好ましい。このように上記の範囲で第１の基体不織布５１及び第２の基体不織布６１を構成する繊維の太さを調整することにより、第１の基体不織布５１及び第２の基体不織布６１の起毛した部分の繊維間に第１の高吸収性ポリマー５２及び第２の高吸収性ポリマー６２をそれぞれ分散させて固着担持しやすくすることができる。
【００２９】
（第１の高吸収性ポリマー及び第２の高吸収性ポリマー）
第１の高吸収性ポリマー５２及び第２の高吸収性ポリマー６２としては、尿を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。また、第１の高吸収性ポリマー５２及び第２の高吸収性ポリマー６２の坪量は、吸収性能を確保するために、２００ｇ／ｍ２以上１２００ｇ／ｍ２以下とすることが好ましい。また、吸収性能、吸収後の肌触り及び着用者の動きやすさをより向上させる観点から、第１の高吸収性ポリマー５２及び第２の高吸収性ポリマー６２の坪量は、３００ｇ／ｍ２以上９００ｇ／ｍ２以下とすることがより好ましい。
【００３０】
また、粉体としての流動性が悪い微粉末を避けることにより、吸収に関する基本性能を高め、かつ、第１の補助吸収体５０及び第２の補助吸収体６０が硬くなることにより発生するごつごつとした触感を低減する観点から、第１の高吸収性ポリマー５２及び第２の高吸収性ポリマー６２の中位粒子径は、５０μｍ以上６００μｍ以下であることが好ましく、１００μｍ以上５００μｍ以下であることがより好ましい。
【００３１】
第１の高吸収性ポリマー５２及び第２の高吸収性ポリマー６２は、ホットメルト接着剤により、第１の基体不織布５１及び第２の基体不織布６１の起毛した部分の繊維間に固着担持されていることが好ましく、第１の基体不織布５１及び第２の基体不織布６１の坪量が比較的低い場合に、第１の高吸収性ポリマー５２及び第２の高吸収性ポリマー６２の固着担持を補強するために、ホットメルト接着剤は特に有効に機能する。なお、第１の高吸収性ポリマー５２及び第２の高吸収性ポリマー６２の吸収性を阻害せず、かつ、着用時の肌触りを損なわないように、ホットメルト接着剤の含有量は１０ｇ／ｍ２以下であることが好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００３２】
［トップシート］
トップシート２０は、吸収体３０に向けて尿及び軟便（主に軟便に含まれる水分）を速やかに通過させるものであり、吸収体３０を挟んで、バックシート４０に対向して配置される。トップシート２０は、肌と当接するシートとなることから、柔らかな感触で、肌に刺激を与えないような性質を有する、親水性不織布、開孔ポリエチレンフィルム等の開孔性フィルム、ウレタンフォーム等の発泡フィルム又はこれらを積層した複合シートから形成される。なお、トップシート２０は、単層であっても、複数層積層していてもよく、ドライタッチ性を付与するために多数の透孔が形成されていてもよい。
【００３３】
また、上記のような性質を有する親水性不織布としては、ポリプロピレンやポリエチレン等の合成繊維や、レーヨン等の再生繊維、綿等の天然繊維を用いて、サーマルボンド法のほか、スパンレース法やスパンボンド法等の公知の加工法によって得られたものを用いることができる。
【００３４】
トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。
【００３５】
なお、トップシート２０は、第１の補助吸収体５０及び第２の補助吸収体６０が設けられている領域において、第１の補助吸収体５０及び第２の補助吸収体６０の形状に追従するように設けられることが好ましい。
【００３６】
［バックシート］
バックシート４０は、液不透過性であり、かつ、遮水性を有するシート材が用いられるが、ムレ防止のために透湿性を有していてもよい。このような特性を有するバックシート４０の材料としては、例えば、ポリエチレンシートやポリエチレンラミネート不織布等の厚みの薄いプラスチックシートを挙げることができる。また、バックシート４０の坪量は、加工性及び強度の点から、１５ｇ／ｍ２以上４０ｇ／ｍ２以下であることが好ましい。
【００３７】
バックシート４０の衣類側表面には、装着時のズレを防止するための固定部材を設けていてもよい。固定部材の基材としては、特に限定されないが、メカニカルフックテープ又は粘着剤であることが好ましい。また、固定部材を保護するための剥離シートを有していてもよい。
【００３８】
［吸収体］
吸収体３０は、吸収性繊維と、第３の高吸収性ポリマー（図示しない）と、を含有する。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体３０の吸収性繊維量は、吸収性能及び肌触りを損なわないよう、１００ｇ／ｍ２以上８００ｇ／ｍ２以下の坪量とすることが好ましい。
【００３９】
第３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。第３の高吸収性ポリマーの量は、吸収性能及び肌触りを損なわないよう、５０ｇ／ｍ２以上５００ｇ／ｍ２以下の坪量とすることが好ましい。また、吸収速度及び吸収量の観点から、吸収体３０の重量に対する第３の高吸収性ポリマーの重量は、１５質量％以上５０質量％以下であることが好ましい。
【００４０】
吸収体３０において、吸収性繊維及び第３の高吸収性ポリマーの形態は、吸収性繊維中に第３の高吸収性ポリマーの粒子を混合して形成したもの、あるいは、吸収性繊維間に第３の高吸収性ポリマーの粒子を固着した高吸収性シートとしたものであることが好ましい。また、第３の高吸収性ポリマーの粒子の漏洩防止や吸収体３０の形状の安定化の目的から、吸収体３０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００４１】
なお、軟便を適切に吸収できるように、吸収体３０の、前後方向の寸法は１５０ｍｍ以上９５０ｍｍ以下であり、左右方向の寸法は３０ｍｍ以上４８０ｍｍ以下であり、厚みは２ｍｍ以上２０ｍｍ以下であることが好ましい。
【００４２】
（立体ギャザー）
本発明の吸収性物品１は、左右方向の両端部に立体ギャザー７０を備えることが好ましい。立体ギャザー７０を左右方向の両端部に設けることにより、軟便の左右方向からの漏れを効果的に防止することができる。立体ギャザー７０としては、疎水性繊維にて形成された撥水性又は液不透過性のシート、例えば、スパンボンド不織布、メルトブロー不織布、ポリエチレンフィルムを用いることができる。また、立体ギャザー７０の坪量は、加工性及び強度の点から、１５ｇ／ｍ２以上１００ｇ／ｍ２以下であることが好ましい。
【００４３】
（伸縮弾性部材）
また、立体ギャザー７０は、自由端側及び基端側に少なくとも一本ずつの伸縮弾性部材を前後方向に沿って有することが好ましい。伸縮弾性部材を前後方向に沿って設けることで、立体ギャザー７０が起立性を有し、着用者の体型に合わせて変形可能なものとなり、フィット性が向上することで、軟便の漏れを効果的に防止することができるようになる。伸縮弾性部材としては、例えば、ポリウレタン糸、帯状のポリウレタンフィルム、糸状又は帯状の天然ゴム等が使用される。
【００４４】
＜吸収性物品の製造方法＞
吸収性物品１の製造方法としては、バックシート４０、吸収体３０、第１の補助吸収体５０及び第２の補助吸収体６０、トップシート２０、の順に積層し、トップシート２０とバックシート４０を一部又は全周に亘ってホットメルト接着剤やヒートエンボス、超音波エンボス、高周波エンボス等を用いて固定することにより製造することができる。必要に応じて左右方向の両端部に立体ギャザー７０を設けることができる。この場合、第１の補助吸収体５０は、立体ギャザー７０のトップシート２０との固定部位よりも左右方向内側に位置することが好ましい。
【００４５】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４６】
１        吸収性物品
２０      トップシート
３０      吸収体
４０      バックシート
５０      第１の補助吸収体
５１      第１の基体不織布
５２      第１の高吸収性ポリマー
６０      第２の補助吸収体
６１      第２の基体不織布
６２      第２の高吸収性ポリマー
７０      立体ギャザー
【図１】
2020000273.tif 000003
【図２】
2020000273.tif 000004
【図３】
2020000273.tif 000005
【図４】
2020000273.tif 000006
【図５】
2020000273.tif 000007